(57)【要約】【課題】  画像データが表示されていないコンテンツデータを含む全てのコンテンツデータの内容を把握し、コンテンツデータに対する操作を感覚的に行うことを可能とする。【解決手段】  スピーカ位置決定部２０４は、複数のコンテンツデータと複数の音声出力装置とを対応付ける。音声出力部２０３は、複数のコンテンツデータの音声データを夫々対応する音声出力装置から出力する。リモコン方向検出部２０６は、再生装置に対して動作指示を与える操作装置の方向を検出する。映像合成部２０２は、リモコン方向検出部２０６により検出された操作装置の方向に対応するコンテンツデータの画像データを表示装置２０９に表示させる。音声出力部２０３は、リモコン方向検出部２０６により検出された操作装置の方向に対応するコンテンツデータの音声データを、複数の音声出力装置のうちの表示装置に対応する位置に配置される音声出力装置から出力する。【選択図】  図２
2010171889.tif 000002
【特許請求の範囲】
【請求項１】
複数のコンテンツデータと複数の音声出力装置とを対応付ける対応付け手段と、
前記複数のコンテンツデータの音声データを夫々対応する音声出力装置から出力する音声出力手段と、
当該再生装置に対して動作指示を与える操作装置の方向を検出する検出手段と、
前記検出手段により検出された前記操作装置の方向に対応するコンテンツデータの画像データを表示装置に表示させる表示制御手段とを有し、
前記音声出力手段は、前記検出手段により検出された前記操作装置の方向に対応するコンテンツデータの音声データを、前記複数の音声出力装置のうちの前記表示装置に対応する位置に配置される音声出力装置から出力することを特徴とする再生装置。
【請求項２】
前記対応付け手段は、前記複数のコンテンツデータのうち、前記表示装置に画像データが表示されているコンテンツデータと前記表示装置に画像データが表示されていないコンテンツデータとの双方を複数の音声出力装置との対応付けることを特徴とする請求項１に記載の再生装置。
【請求項３】
前記対応付け手段は、前記複数のコンテンツデータの数が前記複数の音声出力装置の数より少ない場合には、前記複数のコンテンツデータのうちの少なくとも何れか一つのコンテンツデータを複数の音声出力装置と対応付け、前記複数のコンテンツデータの数が前記複数の音声出力装置の数より多い場合には、前記複数の音声出力装置のうちの少なくとも何れか一つの音声出力装置を二以上のコンテンツデータと対応付けることを特徴とする請求項１又は２に記載の再生装置。
【請求項４】
前記音声出力手段は、前記表示装置に画像データが表示されているコンテンツデータの音声データより、前記表示装置に画像データが表示されていないコンテンツデータの音声データを小さい音量で出力することを特徴とする請求項１乃至３の何れか１項に記載の再生装置。
【請求項５】
前記音声出力手段は、所定の音声に対応する音声データを検出した場合、前記音声に対応する音声データの音量を大きくして出力することを特徴とする請求項１乃至４の何れか１項に記載の再生装置。
【請求項６】
前記検出手段は、前記検出手段が検出した前記操作装置の方向と、前記音声出力手段が前記所定の音声に対応する音声データを検出したコンテンツデータの方向とが異なっている場合、それらの方向の違いが所定の範囲内であれば、前記操作装置の方向を前記コンテンツデータの方向に補正することを特徴とすることを特徴とする請求項５に記載の再生装置。
【請求項７】
前記複数のコンテンツデータを蓄積する蓄積手段と、
前記表示制御手段は、前記検出手段により前記操作装置の方向に対応するコンテンツデータが検出された場合、当該コンテンツデータを前記蓄積手段より読み出し、所定の時間分だけ遅延させて前記表示装置に表示させることを特徴とする請求項１乃至６の何れか１項に記載の再生装置。
【請求項８】
複数のコンテンツデータのチャンネルと複数の音声出力装置とを対応付ける対応付け手段と、
当該再生装置に対して動作指示を与える操作装置の方向を検出する検出手段と、
前記検出手段により検出された前記操作装置の方向に対応するコンテンツデータのチャンネルの音声データを出力する音声出力手段とを有することを特徴とする再生装置。
【請求項９】
前記音声出力手段は、前記複数のコンテンツデータのうちの表示装置に画像データが表示されているコンテンツデータの音声データを、前記複数の音声出力装置のうちの前記表示装置に対応する位置に配置される音声出力装置から出力することを特徴とする請求項１乃至８の何れか１項に記載の再生装置。
【請求項１０】
再生装置の制御方法であって
複数のコンテンツデータと複数の音声出力装置とを対応付ける対応付けステップと、
前記複数のコンテンツデータの音声データを夫々対応する音声出力装置から出力する音声出力ステップと、
当該再生装置に対して動作指示を与える操作装置の方向を検出する検出ステップと、
前記検出ステップにより検出された前記操作装置の方向に対応するコンテンツデータの画像データを表示装置に表示させる表示制御ステップとを含み、
前記音声出力ステップは、前記検出ステップにより検出された前記操作装置の方向に対応するコンテンツデータの音声データを、前記複数の音声出力装置のうちの前記表示装置に対応する位置に配置される音声出力装置から出力することを特徴とする再生装置の制御方法。
【請求項１１】
再生装置の制御方法をコンピュータに実行させるためのプログラムであって、
複数のコンテンツデータと複数の音声出力装置とを対応付ける対応付けステップと、
前記複数のコンテンツデータの音声データを夫々対応する音声出力装置から出力する音声出力ステップと、
当該再生装置に対して動作指示を与える操作装置の方向を検出する検出ステップと、
前記検出ステップにより検出された前記操作装置の方向に対応するコンテンツデータの画像データを表示装置に表示させる表示制御ステップとをコンピュータに実行させ、
前記音声出力ステップは、前記検出ステップにより検出された前記操作装置の方向に対応するコンテンツデータの音声データを、前記複数の音声出力装置のうちの前記表示装置に対応する位置に配置される音声出力装置から出力することを特徴とするプログラム。
【発明の詳細な説明】
【技術分野】
【０００１】
本発明は、再生される複数のコンテンツデータに対する操作を行うための技術に関するものである。
【背景技術】
【０００２】
近年、テレビ放送波だけでなくハードディスクやネットワーク上に大量に映像コンテンツが置かれ、ユーザがそれら映像コンテンツやテレビ放送波の中から視聴コンテンツを選択することが一般的に行われるようになってきている。
【０００３】
視聴者が大量の映像コンテンツの中から視聴する映像コンテンツを選択する際に、ファイル名やサムネイル静止画から検索するのではなく、映像コンテンツを再生しながら複数の映像コンテンツを並べて選択するＧＵＩが可能になってきている。なお、ＧＵＩは、グラフィック・ユーザ・インタフェースの略称である。
【０００４】
但し、大量の映像コンテンツを、一度に全て画面上に並べることができないため、映像コンテンツをスクロール表示しながら視聴者が視聴する映像コンテンツを選択する方法が一般的である。若しくは、テレビ放送波等については、対応する識別子（例えば、局番号）を直接入力する選択方法もある。
【０００５】
また、複数の映像コンテンツを同時に表示する場合、主視聴として選択している映像コンテンツの音声のみを出力する方法が一般的である。この方法の場合、他の映像コンテンツの音声は聞こえないため、視聴者は、各映像コンテンツの見たかった決定的なシーン等に気が付かずに、見逃してしまう場合があった。この対策として、表示している複数の映像と音声を対応させて同時に視聴することができる方法が幾つか開示されている（例えば、特許文献１参照）。
【０００６】
【特許文献１】特開平８−９８１０２号公報
【発明の開示】
【発明が解決しようとする課題】
【０００７】
しかしながら、従来の方法では、ディスプレイ上に表示して内容を確認できる映像コンテンツ数には限りがある。そのため、ディスプレイ上に表示されていない、裏で再生されている映像コンテンツについては、視聴者は再生状況を把握することができない。更には、映像コンテンツ数が多い場合のスクロール操作では、目的の映像コンテンツに行き着くまでに非常に時間が掛かる。また、映像コンテンツに対応する識別子を入力する操作等では、識別子を覚えたり確認したりする等、操作手間が掛かる。そのため、視聴者は、視聴することを望んでいたシーンを見逃すことが多く、操作性も快適でないといった問題があった。
【０００８】
そこで、本発明の目的は、視聴者は画像データが表示されていないコンテンツデータを含む全てのコンテンツデータの内容や状況を把握することができ、操作装置の方向を向けることでコンテンツデータに対する操作を感覚的に行うことを可能とすることにある。
【課題を解決するための手段】
【０００９】
本発明の再生装置は、複数のコンテンツデータと複数の音声出力装置とを対応付ける対応付け手段と、前記複数のコンテンツデータの音声データを夫々対応する音声出力装置から出力する音声出力手段と、当該再生装置に対して動作指示を与える操作装置の方向を検出する検出手段と、前記検出手段により検出された前記操作装置の方向に対応するコンテンツデータの画像データを表示装置に表示させる表示制御手段とを有し、前記音声出力手段は、前記検出手段により検出された前記操作装置の方向に対応するコンテンツデータの音声データを、前記複数の音声出力装置のうちの前記表示装置に対応する位置に配置される音声出力装置から出力することを特徴とする。
本発明の再生装置の制御方法は、複数のコンテンツデータと複数の音声出力装置とを対応付ける対応付けステップと、前記複数のコンテンツデータの音声データを夫々対応する音声出力装置から出力する音声出力ステップと、当該再生装置に対して動作指示を与える操作装置の方向を検出する検出ステップと、前記検出ステップにより検出された前記操作装置の方向に対応するコンテンツデータの画像データを表示装置に表示させる表示制御ステップとを含み、前記音声出力ステップは、前記検出ステップにより検出された前記操作装置の方向に対応するコンテンツデータの音声データを、前記複数の音声出力装置のうちの前記表示装置に対応する位置に配置される音声出力装置から出力することを特徴とする。
本発明のプログラムは、再生装置の制御方法をコンピュータに実行させるためのプログラムであって、複数のコンテンツデータと複数の音声出力装置とを対応付ける対応付けステップと、前記複数のコンテンツデータの音声データを夫々対応する音声出力装置から出力する音声出力ステップと、当該再生装置に対して動作指示を与える操作装置の方向を検出する検出ステップと、前記検出ステップにより検出された前記操作装置の方向に対応するコンテンツデータの画像データを表示装置に表示させる表示制御ステップとをコンピュータに実行させ、前記音声出力ステップは、前記検出ステップにより検出された前記操作装置の方向に対応するコンテンツデータの音声データを、前記複数の音声出力装置のうちの前記表示装置に対応する位置に配置される音声出力装置から出力することを特徴とする。
【発明の効果】
【００１０】
本発明においては、複数のコンテンツデータの音声データを夫々対応する音声出力装置から出力する。そして、操作装置の方向を検出し、操作装置の方向に対応するコンテンツデータの画像データを表示するとともに、操作装置の方向に対応するコンテンツデータの音声データを表示装置に対応する位置に配置される音声出力装置から出力するように構成している。従って、本発明によれば、視聴者は画像データが表示されていないコンテンツデータを含む全てのコンテンツデータの内容や状況を把握することができ、操作装置の方向を向けることでコンテンツデータに対する操作を感覚的に行うことが可能となる。
【発明を実施するための最良の形態】
【００１１】
以下、本発明の好適な実施形態を、添付図面を参照しながら詳細に説明する。なお、以下の実施形態において示す構成は一例に過ぎず、本発明は図示された構成に限定されるものではない。
【００１２】
＜第１の実施形態＞
先ず、本発明の第１の実施形態について説明する。図１は、本発明の第１の実施形態における映像再生制御装置の映像コンテンツの再生状況を示す図である。
【００１３】
図１において、１００はディスプレイの表示画面である。１０１、１０２、１０８は、ディスプレイ上に同時再生される表示映像データである。表示映像データ１０１、１０２、１０８は、表示画面１００に示す形態に横方向に並べて表示再生される。この例では、表示画面１００の中央に表示されている表示映像データ１０１は、視聴者に主に視聴されている映像データである。なお、本実施形態における映像データは、本発明の画像データの適用例となる構成である。
【００１４】
１０３、１０４、１０５、１０６、１０７は、表示画面１００上に表示されていない非表示映像データであるが、表示映像データと同時再生されている非表示映像データである。非表示映像データ１０３、１０４、１０５、１０６、１０７は、表示映像データとリング形状に仮想的に並べられている。表示画面１００はスクロール表示され、映像データがリング形状の横方向へ移動していく。例えば、リング形状の左横方向へのスクロールによって、表示映像データは表示画面１００から１０２、１０１、１０８の順で消えていき、非表示映像データとなる。逆に非表示映像データは表示画面１００上に１０７、１０６、１０５、１０４、１０３の順で現れ、表示映像データとなる。
【００１５】
１１０は、視聴者を中心とした空間に配置されたスピーカに、映像データ１０１〜１０８を仮想的にマッピングしたイメージを表している。
【００１６】
１１１〜１１８は、マッピングした映像データの音声をスピーカから出力している音声データであり、スピーカの位置も表している。映像データ１０１〜１０８の音声は、それぞれ音声データ１１１〜１１８に対応し、且つ、対応する位置に配置されるスピーカから出力される。
【００１７】
１１９は、映像再生制御装置に対して動作指示を与えるためのリモートコントロール装置であり、例えば視聴者が任意の映像データの視聴指示を与えるための操作が行われる。
【００１８】
図２は、本発明の第１の実施形態における映像再生制御装置の構成を示すブロック図である。図２において、２００は映像再生制御装置である。２０１は、映像再生制御装置２００に入力される映像音声データである。映像音声データ２０１は、映像再生制御装置２００に対し複数入力することが可能である。
【００１９】
２０２は、映像合成部である。複数入力された映像音声データ２０１を表示映像データとして、表示画面１００に示す形態に合成し出力する。非表示映像データについては、仮想的にリング形状にマッピングを行う。また、映像合成部２０２は、コンテンツ指示部２０５の結果に従い、指示された映像データの表示を調整する等、視聴者からの表示に関する指示を反映する。また、各映像データの最新のある時間分のデータを蓄積するリングバッファ等のメモリを映像合成部２０２に装備することもできる。設定によって映像合成部２０２は、実際の映像コンテンツの再生をリアルタイムで表示せずに、メモリから蓄積したデータを読み出す。これにより、リアルタイムで再生している映像コンテンツより、所定の時間分、例えば数秒程度遅延した映像コンテンツを表示するように、表示画面１００に示す形態を合成することも可能である。なお、上記メモリは、本発明の蓄積手段の適用例となる構成である。
【００２０】
２０３は、音声出力部である。音声出力部２０３は、映像合成部２０２の出力である表示画面１００に表示される複数の表示映像データと、表示画面１００には表示されない非表示映像データとの音声に関する制御を実行する。音声出力部２０３は、スピーカ位置決定部２０４の決定結果に従い、各映像データに対応する音声データをスピーカから出力する。場合によって音声出力部２０３は、複数の音声データを合成しながらスピーカから出力する。また、音声出力部２０３は、コンテンツ指示部２０５の指示決定に従い、指示された映像データの音量を調整する等、視聴者からの音に関する指示を反映する。また、設定によって音声出力部２０３は、主視聴しているスピーカ以外の音量は小さめに出力する。更には、音声出力部２０３は、歓声や悲鳴や視聴者が予め登録した特徴的な音声（所定の音声）等のモニタリングを行い、対象の音声を検出した場合には、その音声を大きめに出力する等の制御も行う。なお、音声出力部２０３は、本発明の音声出力手段の適用例となる構成である。
【００２１】
２０４は、スピーカ位置決定部であり、予めスピーカの数と位置の情報が設定されている。スピーカ位置決定部２０４は、リング形状にマッピングした表示映像データと非表示映像データとの位置と、複数スピーカの数及び位置との情報により、各映像データに対応する音声データを出力するスピーカを決定する。即ち、スピーカ位置決定部２０４は、複数の映像コンテンツと複数のスピーカとの対応付けを行う。この際、スピーカの数が映像コンテンツの数より多い場合には、少なくとも何れか一つの映像コンテンツを複数のスピーカに割り当てるようにしてもよい。あるいは、映像コンテンツの音声データを出力するスピーカを映像データの数まで間引いて映像コンテンツを割り当てるようにしてもよい。逆に、スピーカの数が映像コンテンツの数より少ない場合には、少なくとも何れか一つのスピーカを複数の映像コンテンツに割り当てるようにしてもよい。なお、スピーカ位置決定部２０４は、本発明の請求項１に記載した対応付け手段の適用例となる構成である。
【００２２】
２０５は、コンテンツ指示部である。リモートコントロール装置１１９により映像データの再生の制御を行う。コンテンツ指示部２０５は、リモコン方向検出部２０６の検出結果に従い、視聴者から指示された映像コンテンツの映像データを表示制御するための指示を映像合成部２０２に与え、音声データを出力制御するための指示を音声出力部２０３に与える。
【００２３】
２０６は、リモコン方向検出部である。リモコン方向検出部２０６は、視聴者がリモートコントロール装置１１９であるリモコンを、どのスピーカ方向に向けて操作しているのかの検出を行う。例えば、各スピーカにリモコンの受信機がセットされ、リモコンからの送信光の受信機への侵入角度をセンサで感知し、どの音声出力に向けてのリモコン操作なのかを判断する。また、例えば、スピーカに位置を識別できるマークを設置し、リモコン側に画像を撮影するセンサを設け、操作方向を撮影し画像認識することで、どの音声出力に向けての操作なのかを判断する。なお、リモコン方向検出部２０６は、本発明の検出手段の適用例となる構成である。
【００２４】
これらの方向の判断については、物体の姿勢や角度を検出するジャイロスコープ等の計測器を用いても可能であり、リモコンがどの方向に向いているのかを検出できれば、どんな方法でもよい。また、設定によってリモコン方向検出部２０６は、音声出力部２０３で検出される特徴的な音声データの映像コンテンツの方向とリモコンの方向とが異なっているが、それらの方向の違いが設定された所定の範囲内であれば、検出したリモコンの方向を、特徴的な音声の方向に補正する制御等も行う。
【００２５】
２０８は、表示制御部である。表示制御部２０８は映像合成部２０２からの出力結果を表示装置２０９へ表示する。表示制御部２０８は、本発明の表示制御手段の適用例となる構成である。
【００２６】
２０９は、表示装置である。表示装置２０９は表示制御部２０８に接続され、表示画面１００が表示される。
【００２７】
図３は、本発明の第１の実施形態における映像再生制御装置による映像コンテンツの再生結果を示す図である。
【００２８】
図３において、３００は、図１の１００と同様にディスプレイの表示画面である。表示画面３００は、表示画面１００の状況からある時間が経過した状況を示している。
【００２９】
３０１〜３０８は、リング形状にマッピングした映像データである。映像データ３０１〜３０８は、それぞれ図１の映像データ１０１〜１０８に対応する。この状態での表示映像データは３０３、３０４、３０５であり、非表示映像データは３０１、３０２、３０６、３０７、３０８である。映像データ３０４が主視聴されている状態である。
【００３０】
３１０は、図１の１１０と同様に、視聴者を中心とした空間に配置されたスピーカに映像データ３０１〜３０８を仮想的にマッピングしたイメージを表している。但し、３１０は、１１０の状況からある時間が経過した状況を示している。
【００３１】
３１１〜３１８は、マッピングした映像データの音声をスピーカから出力している音声データであり、スピーカの位置も表している。映像データ３０１〜３０８の音声は、それぞれ音声データ３１１〜３１８に対応し、且つ、対応する位置に配置されるスピーカから出力される。
【００３２】
図４は、本実施形態における映像再生制御装置の処理手順を示すフローチャートである。以下、本発明の第１の実施形態の動作を図４のフローチャートに従って説明する。
【００３３】
図４のフローチャートに示す処理は、視聴者が映像コンテンツを視聴している最中に、リモコン操作によって、主視聴している映像コンテンツの切り換え指示を行うことにより開始する。なお、リモコン操作による他の指示毎に本フローチャートと同様の処理が存在し、本フローチャートの各処理は、それら他の処理においても再利用、若しくは流用が可能である。
【００３４】
ステップ４００において、リモコン方向検出部２０６は、リモートコントロール装置１１９で操作を指示された方向を検出し、操作対象である映像データを特定する。図１の例では、リモートコントロール装置１１９では、音声データ１１４を出力しているスピーカ方向に対して操作しており、その結果、対応する映像データ１０４が操作対象として決定される。
【００３５】
ステップ４０１において、コンテンツ指示部２０５は、仮想的にリング形状にマッピングされた各映像データの移動する位置を決定し、映像合成部２０２に指示する。図１において、映像切り換えの対象となった映像データ１０４が主視聴の表示映像データになるように、各映像データの位置を決定し、移動を指示する。この場合、各映像データの移動する位置は、視聴者の操作内容や、予め設定されている内容に従う。例えば、切り換え対象の映像データが主視聴の位置に来るまでリング全体を回転させる。或いは、切り換え対象の映像データだけを主視聴の位置に割り込ませ、他の割り込まれた映像データはどちらかにスライド移動する。或いは、切り換え対象の映像データと主視聴の映像データだけを入れ替える等の設定が考えられる。なお、図３はリング全体を回転させた場合を例示している。
【００３６】
ステップ４０２において、コンテンツ指示部２０５は、スピーカにマッピングされている各音声データの移動する位置を決定し、音声出力部２０３に指示する。図１において、ステップ４０１での映像データが移動する位置と連動して、各音声データが移動するスピーカ位置を決定し、移動を指示する。図３の例では、ステップ４０１にてリング全体を回転させているので、音声データが出力されるスピーカ位置も全体的に移動する。
【００３７】
ステップ４０３において、ステップ４０１の指示により映像合成部２０２は、新しく画面を構成する各映像データで画面を合成し、その結果を表示制御部２０８にて表示装置２０９に出力する。
【００３８】
図３において、表示画面３００が形成され、特に主視聴の対象が映像データ３０４（図１の映像データ１０４と同じ）に切り替わる。また、ステップ４０２の指示により音声出力部２０３は、新たに決まったスピーカ位置から各音声データを出力する。図３において、特に主視聴の対象が音声データ３１４（図１の音声データ１１４と同じ）に切り替わる。この際、新しく主視聴となる映像データにおいて、設定によっては表示を切り換える瞬間に、映像合成部２０２内のメモリで蓄積している数秒前の映像データで画面を合成し、且つ音声データを出力する。
【００３９】
以上、説明したように本実施形態における映像再生制御装置２００では、表示されていない映像コンテンツの音声データを出力することができ、視聴者は非表示の映像コンテンツの音声データを確認することができる。また、視聴者は、その音声を頼りに、音声のする方向にリモコンを向けて映像コンテンツに対して指示を与える等、感覚的な映像コンテンツの操作が可能となる。更に、映像切り換え操作をした映像コンテンツを瞬時にディスプレイ上の主視聴の映像として再生表示することができる。その結果、視聴者が望んでいた映像コンテンツのシーンに気が付くこと無く見逃してしまったり、切り換え操作に時間が掛かることで見逃してしまったりすることを、防止することが可能となる。
【００４０】
また、その他の効果として、主視聴している映像コンテンツ以外の映像コンテンツの音量を小さく出力するように設定することにより、視聴者の視聴を妨げない。また、歓声や悲鳴や登録した音声等の特徴的な音声データの音量を、他の音声データよりも大きく出力するように設定することにより、視聴者は映像コンテンツの状況を音で把握しやすい。また、リモコンで操作した方向を、特徴的な音声データを出力したスピーカの位置を加味して補正するように設定することにより、視聴者の感覚的な操作を更に補助する。さらに、映像の切り換え操作を行った際に、数秒前から遅延して再生を表示するように設定することにより、更なる視聴者の望む瞬間のシーンの見逃しを防ぐことができる。
【００４１】
＜第２の実施形態＞
次に、本発明の第２の実施形態について説明する。なお、以下の説明において第１の実施形態と共通する部分の説明は省略する。
【００４２】
図５は、本発明の第２の実施形態における映像再生制御装置６００の構成を示すブロック図である。図５において、２０７は、チャンネル方向設定部である。チャンネル方向設定部２０７は、映像コンテンツの各チャンネル（例えば、放送局等）を、それぞれ空間上の各方向にマッピングする。なお、図５の２０７以外の構成は、図２に示す同符号の構成と同様である。
【００４３】
図６は、本発明の第２の実施形態における映像再生制御装置６００のチャンネルの音声再生状況を示す図である。
【００４４】
図６において、５００は、視聴者を中心とした空間にマッピングされた各映像コンテンツのチャンネルの方向と、そのチャンネルの音声データを出力するスピーカとの対応を表す図である。各チャンネルの方向と各スピーカとのマッピングは、チャンネル方向設定部２０７とスピーカ位置決定部２０４により予め対応づけられ設定されている。この設定処理は、本発明の請求項７に記載した対応付け手段の処理例となる。
【００４５】
５０１は、主視聴されている映像コンテンツの音声データを出力しているスピーカである。５００の状況においては、スピーカ５０１以外のスピーカからは音声データは出力されていない。
【００４６】
５０２は、視聴者が任意のチャンネルに指示を与えるための操作を行うリモートコントロール装置である。
【００４７】
５１０は、５００と同様、視聴者を中心とした空間にマッピングされた各チャンネルと、そのチャンネルの音声データを出力するスピーカとの対応を表している。５１０は５００の状況からある時間が経過した状況を示している。
【００４８】
５１１は、５０１と同じであり、主視聴されている映像コンテンツの音声データを出力しているスピーカである。スピーカ５１１は同じ映像コンテンツの音声データの出力を継続している。
【００４９】
５１２は、４チャンネルに割り付けられたスピーカであり、４チャンネルの音声データを出力する。
【００５０】
以下、本発明の第２の実施形態の動作について説明する。視聴者は、あるコンテンツを主視聴しており、その音声がスピーカ５０１から出力されている。視聴者が５００の状況にある際に、リモートコントロール装置５０２によりチャンネル方向（図５では、４ｃｈ）に音声データを追加で出力する操作を行う。その結果、図４のフローチャートのステップ４００と同様の処理により、最終的に操作対象のチャンネルを特定する。
【００５１】
次に、コンテンツ指示部２０５により、特定したチャンネル（４ｃｈ）に割り当てられているスピーカ５１２から、そのチャンネル（４ｃｈ）の音声データを出力するように、音声出力部２０３に指示が出される。音声出力部２０３は、スピーカ５１２からそのチャンネル（４ｃｈ）の音声データを出力する。その結果、５００から５１０の状況に変更され、視聴者は、主視聴しているコンテンツの音声データをスピーカ５１１から、追加出力操作したチャンネル（４ｃｈ）の音声データをスピーカ５１２から、同時に両方を聞くことができる。
【００５２】
以上説明したように、本実施形態における映像再生制御装置では、視聴者は、リモコンを空間上に割り当てられたチャンネルの方向に向けて操作することができる。その結果、チャンネル番号等を頼りにする操作と違い、感覚的な操作が可能となる。また、主視聴している映像コンテンツとは別に、視聴者が気になるチャンネルの音声だけを聞くことができる。
【００５３】
なお、上述した第１、第２の実施形態における映像再生制御装置２００、６００は、本発明の再生装置の適用例となる構成である。また、映像コンテンツは本発明のコンテンツデータ、スピーカは本発明の音声出力装置、リモートコントロール装置１１９、５０２は本発明の操作装置、表示装置２０９は本発明の表示装置の適用例となる構成である。
【００５４】
＜その他の実施形態＞
なお、本発明は、複数の機器から構成されるシステムの１部として適用しても、１つの機器からなる装置の１部に適用してもよい。
【００５５】
また、本発明は上記実施形態を実現するための装置及び方法のみに限定されるものではない。
【００５６】
例えば、上記システム又は装置内のコンピュータ（ＣＰＵ或いはＭＰＵ）に、上記実施形態を実現するためのソフトウェアのプログラムコードを供給するものも本発明の範疇に含まれる。また、このプログラムコードに従って上記システム或いは装置のコンピュータが上記各種デバイスを動作させることにより上記実施例を実現する場合も本発明の範疇に含まれる。
【００５７】
この場合、前記ソフトウェアのプログラムコード自体が上記実施形態の機能を実現することになる。即ち、そのプログラムコード自体、及びそのプログラムコードをコンピュータに供給するための手段、具体的には上記プログラムコードを格納した記憶媒体も本発明の範疇に含まれる。
【００５８】
この様なプログラムコードを格納する記憶媒体としては、例えばフロッピー（登録商標）ディスク、ハードディスク、光ディスク、光磁気ディスク、ＣＤ−ＲＯＭ、ＤＶＤ、磁気テープ、不揮発性のメモリカード、ＲＯＭ等を用いることができる。
【００５９】
また、本発明は上記プログラムコードのみに従って各種デバイスを制御することにより、上記実施形態の機能が実現される場合に限らない。例えば、上記プログラムコードがコンピュータ上で稼働しているＯＳ（オペレーティングシステム）、或いは他のアプリケーションソフト等と共同して上記実施形態が実現される場合も本発明の範疇に含まれる。
【００６０】
更に、コンピュータの機能拡張ボードに備わるメモリに格納された上記プログラムコードの指示に基づいて、その機能拡張ボードに備わるＣＰＵ等が実際の処理の一部または全部を行う場合なども本発明の範疇に含まれる。
【図面の簡単な説明】
【００６１】
【図１】本発明の第１の実施形態における映像再生制御装置の映像コンテンツの再生状況を示す図である。
【図２】本発明の第１の実施形態における映像再生制御装置の構成を示すブロック図である。
【図３】本発明の第１の実施形態における映像再生制御装置による映像コンテンツの再生結果を示す図である。
【図４】本発明の第１の実施形態における映像再生制御装置の処理手順を示すフローチャートである。
【図５】本発明の第２の実施形態における映像再生制御装置の構成を示すブロック図である。
【図６】本発明の第２の実施形態における映像再生制御装置のチャンネルの音声再生状況を示す図である。
【符号の説明】
【００６２】
２００、６００  映像再生制御装置
２０１  映像音声データ
２０２  映像合成部
２０３  音声出力部
２０４  スピーカ位置決定部
２０５  コンテンツ指示部
２０６  リモコン方向検出部
２０７  チャンネル方向設定部
２０８  表示制御部
２０９  表示装置
【図１】
2010171889.tif 000003
【図２】
2010171889.tif 000004
【図３】
2010171889.tif 000005
【図４】
2010171889.tif 000006
【図５】
2010171889.tif 000007
【図６】
2010171889.tif 000008